(57)【特許請求の範囲】
【請求項１】
操作用の情報を表示する表示部と、
媒体に発光性画像を形成する画像形成部と、
前記発光性画像が形成された前記媒体を載置台の上に排出する排出部と、
前記媒体の排出方向の下流側において前記載置台よりも高い位置に配置されると共に、前記載置台の上に排出された前記媒体に対して前記表示部側から前記排出方向の上流側に向けて発光用光を照射する照射部と
を備えた、画像形成装置。
【請求項２】
前記照射部は、前記排出方向に対向する位置に配置されている、
請求項１記載の画像形成装置。
【請求項３】
さらに、前記画像形成部および前記排出部を収納すると共に外面の一部に前記載置台を有する筐体を備え、
前記照射部は、前記筐体の外部に配置されている、
請求項１または請求項２に記載の画像形成装置。
【請求項４】
前記照射部は、前記表示部の表示方向の反対方向に向けて前記発光用光を照射する、
請求項１ないし請求項３のいずれか１項に記載の画像形成装置。
【請求項５】
さらに、前記載置台から離間されると共に前記載置台と対向するように配置された屋根部材を備え、
前記照射部は、前記屋根部材により支持されている、
請求項１ないし請求項４のいずれか１項に記載の画像形成装置。
【請求項６】
前記屋根部材は、前記載置台に近い位置と前記載置台から遠い位置との間において移動可能である、
請求項５記載の画像形成装置。
【請求項７】
前記屋根部材は、前記排出方向の上流側に設けられた旋回軸を中心として、前記載置台に近づく位置と前記載置台から遠ざかる位置との間において旋回可能である、
請求項５記載の画像形成装置。
【請求項８】
前記照射部の照射角度は、前記屋根部材の旋回角度に応じて変更可能である、
請求項７記載の画像形成装置。
【請求項９】
前記照射部は、前記屋根部材が前記載置台に近づくように旋回している状態において前記発光用光を照射し、
さらに、前記屋根部材が前記載置台から遠ざかるように旋回している状態において他の発光用光を照射する他の照射部を備えた、
請求項７記載の画像形成装置。
【請求項１０】
前記屋根部材は、前記排出方向においてスライド可能である、
請求項５記載の画像形成装置。
【請求項１１】
さらに、前記排出方向の下流側よりも上流側において高くなるように、前記載置台の上に排出された前記媒体を傾斜させる傾斜板を備えた、
請求項１ないし請求項１０のいずれか１項に記載の画像形成装置。
【請求項１２】
さらに、前記排出方向と交差する方向において前記載置台を介して互いに対向するように配置された一対の壁部材を備えた、
請求項１ないし請求項１１のいずれか１項に記載の画像形成装置。
【請求項１３】
前記画像形成部は、
発光性現像剤を潜像に付着させる現像部と、
前記潜像に付着された前記発光性現像剤を媒体に転写させる転写部と、
前記媒体に転写された前記発光性現像剤を加熱および加圧することにより、前記発光性画像を前記媒体に定着させる定着部と
を含む、請求項１ないし請求項１２のいずれか１項に記載の画像形成装置。
【請求項１４】
前記発光性画像は、蛍光性画像であり、
前記発光用光は、紫外線光を含む、
請求項１ないし請求項１３のいずれか１項に記載の画像形成装置。
【請求項１５】
操作用の情報を表示する表示部と、
媒体に発光性画像を形成する画像形成部と、
前記発光性画像が形成された前記媒体を載置台の上に排出する排出部と、
前記載置台よりも高い位置に配置されると共に、前記載置台の上に排出された前記媒体に対して前記表示部の表示方向の反対方向に向けて発光用光を照射する照射部と
を備えた、画像形成装置。
【請求項１６】
媒体に発光性画像を形成する画像形成部と、
前記発光性画像が形成された前記媒体を載置台の上に排出する排出部と、
前記載置台から離間されると共に前記載置台と対向するように配置された屋根部材と、
前記載置台よりも高い位置に配置されると共に、前記載置台の上に排出された前記媒体に対して発光用光を照射する照射部と
を備え、
前記載置台と前記屋根部材との間に、前記載置台の上に排出された前記媒体を視認可能である隙間が設けられており、
前記照射部は、前記隙間側から前記排出方向の上流側に向けて前記発光用光を照射する、
画像形成装置。
【請求項１７】
前記照射部は、前記屋根部材により支持されている、
請求項１６記載の画像形成装置。
【請求項１８】
操作用の情報を表示する表示部と、
媒体に発光性画像を形成する画像形成部と、
前記発光性画像が形成された前記媒体を載置台の上に排出する排出部と、
前記載置台よりも高い位置に配置されると共に、前記載置台の上に排出された前記媒体に対して発光用光を照射する照射部と
を備え、
前記照射部は、前記載置台よりも前記表示部に近い側から、前記表示部の表示方向の反対側に位置する前記載置台に向けて、前記発光用光を照射する、
画像形成装置。
【発明の詳細な説明】
【技術分野】
【０００１】
本発明は、発光性画像を形成する画像形成装置に関する。
【背景技術】
【０００２】
媒体に画像を形成するために、画像形成装置が用いられている。画像形成装置により形成される画像としては、蛍光性などの発光性を有する画像（発光性画像）が提案されている（例えば、特許文献１，２参照。）。この場合には、画像形成装置が照明装置を搭載しており、その照明装置から照射される光に応じて発光性画像が発光する。
【先行技術文献】
【特許文献】
【０００３】
【特許文献１】特開２０１３−０９７１９９号公報
【特許文献２】特開２０１５−０２５９２９号公報
【発明の概要】
【発明が解決しようとする課題】
【０００４】
画像形成装置を用いて発光性画像を形成する場合には、その発光性画像の形成後、所望の発光性画像が形成されているかどうかを安全に確認できることが望ましい。
【０００５】
本発明はかかる問題点に鑑みてなされたもので、その目的は、発光性画像を安全に確認することが可能な画像形成装置を提供することにある。
【課題を解決するための手段】
【０００６】
本発明の一実施形態の画像形成装置は、操作用の情報を表示する表示部と、媒体に発光性画像を形成する画像形成部と、その発光性画像が形成された媒体を載置台の上に排出する排出部と、その媒体の排出方向の下流側において載置台よりも高い位置に配置されると共に載置台の上に排出された媒体に対して表示部側から排出方向の上流側に向けて発光用光を照射する照射部とを備えたものである。
【０００７】
本発明の他の一実施形態の画像形成装置は、操作用の情報を表示する表示部と、媒体に発光性画像を形成する画像形成部と、その発光性画像が形成された媒体を載置台の上に排出する排出部と、その載置台よりも高い位置に配置されると共に載置台の上に排出された媒体に対して表示部の表示方向の反対方向に向けて発光用光を照射する照射部とを備えたものである。
本発明のさらに他の一実施形態の画像形成装置は、媒体に発光性画像を形成する画像形成部と、その発光性画像が形成された媒体を載置台の上に排出する排出部と、その載置台から離間されると共に載置台と対向するように配置された屋根部材と、その載置台よりも高い位置に配置されると共に載置台の上に排出された媒体に対して発光用光を照射する照射部とを備え、載置台と屋根部材との間に載置台の上に排出された媒体を視認可能である隙間が設けられており、照射部が隙間側から排出方向の上流側に向けて発光用光を照射するものである。
本発明のさらに他の一実施形態の画像形成装置は、操作用の情報を表示する表示部と、媒体に発光性画像を形成する画像形成部と、その発光性画像が形成された媒体を載置台の上に排出する排出部と、その載置台よりも高い位置に配置されると共に載置台の上に排出された媒体に対して発光用光を照射する照射部とを備え、照射部が載置台よりも表示部に近い側から表示部の表示方向の反対側に位置する載置台に向けて発光用光を照射するものである。
【０００８】
上記した「発光性画像」とは、発光性材料を用いて形成された画像であり、その発光性材料は、不可視光などの光を受けると、その不可視光などの光の吸収などに起因して可視光を発生可能である。可視光の種類は、特に限定されないが、例えば、蛍光、夜光および蓄光などのうちのいずれか１種類または２種類以上である。
【０００９】
また、「発光用光」とは、上記した発光性材料を発光させるために発光性画像に照射される不可視光などの光である。不可視光の種類は、特に限定されないが、例えば、紫外線光および赤外線光などのうちのいずれか１種類または２種類以上である。
【発明の効果】
【００１０】
本発明の一実施形態の画像形成装置によれば、媒体の排出方向の下流側において載置台よりも高い位置に、表示部側から排出方向の上流側に向けて発光用光を照射する照射部が配置されている。よって、発光性画像を安全に確認できる。
【００１１】
また、本発明の他の一実施形態の画像形成装置によれば、載置台よりも高い位置に、表示部の表示方向の反対方向に向けて発光用光を照射する照射部が配置されている。よって、発光性画像を安全に確認できる。
また、本発明のさらに他の一実施形態の画像形成装置によれば、載置台よりも高い位置に、その載置台と屋根部材との間に設けられた隙間側から排出方向の上流側に向けて発光用光を照射する照射部が配置されている。よって、発光性画像を安全に確認できる。
また、本発明のさらに他の一実施形態の画像形成装置によれば、載置台よりも高い位置に、その載置台よりも表示部に近い側から表示部の表示方向の反対側に位置する載置台に向けて発光用光を照射する照射部が配置されている。よって、発光性画像を安全に確認できる。
【図面の簡単な説明】
【００１２】
【図１】本発明の第１実施形態の画像形成装置の構成（ＸＺ面）を表す平面図である。
【図２】図１に示した操作パネルの構成（ＹＺ面）を拡大して表す平面図である。
【図３】図１に示した現像部の構成（ＸＺ面）を拡大して表す平面図である。
【図４】画像形成装置の構成を表すブロック図である。
【図５】画像形成装置の動作を説明するための流れ図である。
【図６】画像形成装置の動作（ＸＺ面）を説明するための平面図である。
【図７】比較例の画像形成装置の構成（ＸＺ面）を表す平面図である。
【図８】画像形成装置の構成に関する第１変形例（ＸＺ面）を表す平面図である。
【図９】画像形成装置の構成に関する第２変形例（ＸＺ面）を表す平面図である。
【図１０】画像形成装置の構成に関する第２変形例（ＸＺ面）を表す他の平面図である。
【図１１】画像形成装置の構成に関する第３変形例（ＸＺ面）を表す平面図である。
【図１２】画像形成装置の構成に関する第３変形例（ＸＺ面）を表す他の平面図である。
【図１３】画像形成装置の構成に関する第４変形例（ＸＺ面）を表す平面図である。
【図１４】画像形成装置の構成に関する第４変形例（ＸＺ面）を表す他の平面図である。
【図１５】画像形成装置の構成に関する第５変形例（ＸＺ面）を表す平面図である。
【図１６】画像形成装置の構成に関する第５変形例（ＸＺ面）を表す他の平面図である。
【図１７】本発明の第２実施形態の画像形成装置の構成（ＸＺ面）を表す平面図である。
【図１８】画像形成装置の動作（ＸＺ面）を説明するための平面図である。
【図１９】画像形成装置の構成に関する変形例（ＸＹ面）を表す平面図である。
【図２０】画像形成装置の構成に関する変形例（ＸＹ面）を表す他の平面図である。
【図２１】画像形成装置の構成に関する変形例（ＸＺ面）を表す平面図である。
【発明を実施するための形態】
【００１３】
以下、本発明の一実施形態に関して、図面を参照して詳細に説明する。なお、説明する順序は、下記の通りである。
１．画像形成装置（第１実施形態）
１−１．全体構成
１−２．現像部の詳細な構成
１−３．ブロック構成
１−４．動作
１−５．作用および効果
１−６．変形例
２．画像形成装置（第２実施形態）
２−１．構成
２−２．動作
２−３．作用および効果
２−４．変形例
【００１４】
＜１．画像形成装置（第１実施形態）＞
本発明の第１実施形態の画像形成装置に関して説明する。
【００１５】
ここで説明する画像形成装置は、例えば、画像の形成機能および画像の読取機能を有する複合機である。この画像形成装置は、例えば、複写機、プリンタ、イメージスキャナおよびファクシミリなどの一連の機能を有している。以下の説明では、画像形成装置の使用者を単に「使用者」と呼称する。
【００１６】
＜１−１．全体構成＞
まず、画像形成装置の全体構成に関して説明する。
【００１７】
図１は、画像形成装置の平面構成（ＸＺ面）を表している。図２は、図１に示した操作パネル９０の平面構成（ＹＺ面）を拡大している。以下の説明では、図１中の上側を「上」、図１中の下側を「下」と説明する。
【００１８】
画像形成装置は、例えば、図１に示したように、画像の形成機能を実行する画像形成機能部１００と、画像の読取機能を実行する画像読取機能部２００とを備えている。ここでは、画像読取機能部２００は、例えば、画像形成機能部１００の上方に配置されている。
【００１９】
［画像形成機能部］
画像形成機能部１００は、例えば、電子写真方式のフルカラープリンタであり、媒体Ｍに画像を形成する。画像形成装置では、例えば、上記した一連の複合機の機能のうち、複写機およびプリンタなどの機能が画像形成機能部１００により実現される。
【００２０】
媒体Ｍの材質は、特に限定されないが、例えば、紙およびフィルムなどのうちのいずれか１種類または２種類以上である。この媒体Ｍは、搬送経路Ｒ１〜Ｒ５に沿って搬送される。図１では、搬送経路Ｒ１〜Ｒ５のそれぞれを破線で示している。
【００２１】
この画像形成機能部１００は、所定の光（後述する発光用光Ｌ：図６参照）の照射に応じて発光性を有する画像（発光性画像）を形成可能であると共に、その発光性を有しない画像（通常画像）を形成可能である。ただし、画像形成機能部１００は、例えば、発光性画像だけを形成可能でもよい。
【００２２】
「発光性画像」とは、上記したように、発光性材料を用いて形成された画像である。この発光性材料は、不可視光などの光を受けると、その不可視光などの光の吸収などに起因して可視光を発生可能である。可視光の種類は、特に限定されないが、例えば、蛍光、夜光および蓄光などのうちのいずれか１種類または２種類以上である。
【００２３】
「発光用光Ｌ」とは、上記したように、発光性材料を発光させるために発光性画像に照射される不可視光などの光である。不可視光の種類は、特に限定されないが、例えば、紫外線光および赤外線光などのうちのいずれか１種類または２種類以上である。
【００２４】
ここでは、発光用光Ｌは、例えば、紫外線光（いわゆるＵＶ光）を含んでいる。これに伴い、発光性画像は、例えば、紫外線光に応じて蛍光を発生させる蛍光性画像（いわゆるＵＶ画像）である。
【００２５】
以下では、主に、画像形成機能部１００が発光性画像を形成する場合を例に挙げながら、その画像形成機能部１００の構成を説明する。
【００２６】
画像形成機能部１００は、例えば、筐体１の内部に、トレイ１０と、送り出しローラ２０と、１または２以上の現像部３０と、転写部４０と、定着部５０と、搬送ローラ６１〜６８と、搬送路切り替えガイド７１，７２とを備えている。
【００２７】
上記した画像形成機能部１００の一連の構成要素のうち、現像部３０、転写部４０および定着部５０は、実質的に媒体Ｍに発光性画像を形成する「画像形成部」である。
【００２８】
筐体１は、例えば、金属材料および高分子材料などのうちのいずれか１種類または２種類以上を含んでいる。この筐体１は、例えば、上方に向かって部分的に突出した部分（突出部１Ｔ）を含んでおり、その突出部１Ｔには、例えば、発光性画像が形成された媒体Ｍを排出するための排出口１Ｈが設けられている。これに伴い、筐体１の外面の一部（上面）には、排出口１Ｈから排出された媒体Ｍを載置するための載置台１Ｄが設けられている。
【００２９】
トレイ１０は、例えば、筐体１に対して着脱可能に装着されており、媒体Ｍを収納している。送り出しローラ２０は、例えば、Ｙ軸方向に延在しており、そのＹ軸を中心として回転可能である。以降において説明する一連の構成要素のうち、名称中に「ローラ」という文言を含む構成要素は、送り出しローラ２０と同様に、Ｙ軸方向に延在していると共にＹ軸を中心として回転可能である。
【００３０】
トレイ１０には、例えば、複数の媒体Ｍが積層された状態で収納されている。このトレイ１０に収納されている複数の媒体Ｍは、例えば、送り出しローラ２０によりトレイ１０から１つずつ取り出される。
【００３１】
トレイ１０の数および送り出しローラ２０の数は、特に限定されない。図１では、例えば、トレイ１０の数が１個であると共に送り出しローラ２０の数が１個である場合を示している。
【００３２】
現像部３０は、現像剤（いわゆるトナー）を用いて現像処理を実行する。具体的には、現像部３０は、潜像（静電潜像）を形成すると共に、クーロン力を利用して潜像に現像剤を付着させる。
【００３３】
ここでは、画像形成装置は、例えば、５個の現像部３０（３０Ｕ，３０Ｋ，３０Ｃ，３０Ｍ，３０Ｙ）を備えている。
【００３４】
現像部３０Ｕ，３０Ｋ，３０Ｃ，３０Ｍ，３０Ｙのそれぞれは、例えば、筐体１に対して着脱可能に装着されていると共に、後述する中間転写ベルト４１の移動経路に沿って配列されている。ここでは、現像部３０Ｕ，３０Ｋ，３０Ｃ，３０Ｍ，３０Ｙは、例えば、中間転写ベルト４１の移動方向（矢印Ｆ５）において、上流側から下流側に向かってこの順に配置されている。
【００３５】
現像部３０Ｕ，３０Ｋ，３０Ｃ，３０Ｍ，３０Ｙのそれぞれは、例えば、後述するカートリッジ３８（図３参照）に収納されている現像剤の種類（色）が異なることを除いて、互いに同様の構成を有している。なお、現像部３０Ｕ，３０Ｋ，３０Ｃ，３０Ｍ，３０Ｙのそれぞれの詳細な構成に関しては、後述する。
【００３６】
転写部４０は、現像部３０により現像処理された現像剤を用いて転写処理を実行する。具体的には、転写部４０は、現像部３０により静電潜像に付着された現像剤を媒体Ｍに転写させる。
【００３７】
この転写部４０は、例えば、中間転写ベルト４１と、駆動ローラ４２と、従動ローラ（アイドルローラ）４３と、バックアップローラ４４と、１または２以上の１次転写ローラ４５と、２次転写ローラ４６と、クリーニングブレード４７とを含んでいる。
【００３８】
中間転写ベルト４１は、媒体Ｍに現像剤が転写される前に、その現像剤が一時的に転写される媒体（中間転写媒体）であり、例えば、無端の弾性ベルトなどである。この中間転写ベルト４１は、例えば、ポリイミドなどの高分子材料のうちのいずれか１種類または２種類以上を含んでいる。なお、中間転写ベルト４１は、駆動ローラ４２、従動ローラ４３およびバックアップローラ４４のそれぞれにより張架された状態において、その駆動ローラ４２の回転に応じて移動可能である。
【００３９】
駆動ローラ４２は、例えば、モータなどの駆動源を介して回転可能である。従動ローラ４３およびバックアップローラ４４のそれぞれは、例えば、駆動ローラ４２の回転に応じて回転可能である。
【００４０】
１次転写ローラ４５は、静電潜像に付着された現像剤を中間転写ベルト４１に転写（１次転写）させる。この１次転写ローラ４５は、中間転写ベルト４１を介して現像部３０（後述する感光体ドラム３１：図３参照）に圧接されている。なお、１次転写ローラ４５は、中間転写ベルト４１の移動に応じて回転可能である。
【００４１】
ここでは、転写部４０は、例えば、上記した５個の現像部３０（３０Ｕ，３０Ｋ，３０Ｃ，３０Ｍ，３０Ｙ）に対応して、５個の１次転写ローラ４５（４５Ｕ，４５Ｋ，４５Ｃ，４５Ｍ，４５Ｙ）を含んでいる。また、転写部４０は、１個のバックアップローラ４４に対応して、１個の２次転写ローラ４６を含んでいる。
【００４２】
２次転写ローラ４６は、中間転写ベルト４１に転写された現像剤を媒体Ｍに転写（２次転写）させる。この２次転写ローラ４６は、バックアップローラ４４に圧接されており、例えば、金属製の芯材と、その芯材の外周面を被覆する発泡ゴム層などの弾性層とを含んでいる。なお、２次転写ローラ４６は、中間転写ベルト４１の移動に応じて回転可能である。
【００４３】
クリーニングブレード４７は、中間転写ベルト４１に圧接されており、その中間転写ベルト４１の表面に残留した不要な現像剤などを掻き取る。
【００４４】
定着部５０は、転写部４０により媒体Ｍに転写された現像剤を用いて定着処理を実行する。具体的には、定着部５０は、転写部４０により媒体Ｍに転写された現像剤を加熱しながら加圧することにより、その現像剤を媒体Ｍに定着させる。
【００４５】
この定着部５０は、例えば、加熱ローラ５１と、加圧ローラ５２とを含んでいる。
【００４６】
加熱ローラ５１は、現像剤像を加熱する。この加熱ローラ５１は、例えば、中空円筒状の金属芯と、その金属芯の表面を被覆する樹脂コートとを含んでいる。金属芯は、例えば、アルミニウムなどの金属材料のうちのいずれか１種類または２種類以上を含んでいる。樹脂コートは、例えば、例えば、テトラフルオロエチレンとパーフルオロアルキルビニルエーテルとの共重合体（ＰＦＡ）およびポリテトラフルオロエチレン（ＰＴＦＥ）などの高分子材料のうちのいずれか１種類または２種類以上を含んでいる。
【００４７】
加熱ローラ５１（金属芯）の内部には、例えば、ハロゲンランプなどのヒータが設置されている。この加熱ローラ５１の表面温度は、例えば、その加熱ローラ５１から離間された位置に配置されているサーミスタにより検出される。
【００４８】
加圧ローラ５２は、加熱ローラ５１に圧接されており、現像剤像を加圧する。この加圧ローラ５２は、例えば、金属棒などである。金属棒は、例えば、アルミニウムなどの金属材料のうちのいずれか１種類または２種類以上を含んでいる。
【００４９】
搬送ローラ６１〜６８のそれぞれは、媒体Ｍの搬送経路Ｒ１〜Ｒ５を介して互いに対向するように配置された一対のローラを含んでおり、送り出しローラ２０により取り出された媒体Ｍを搬送させる。
【００５０】
媒体Ｍの片面だけに発光性画像が形成される場合には、その媒体Ｍは、例えば、搬送ローラ６１〜６４により搬送経路Ｒ１，Ｒ２に沿って搬送される。また、媒体Ｍの両面に発光性画像が形成される場合には、その媒体Ｍは、例えば、搬送ローラ６１〜６８により搬送経路Ｒ１〜Ｒ５に沿って搬送される。
【００５１】
搬送路切り替えガイド７１，７２は、媒体Ｍに形成される発光性画像の様式（媒体Ｍの片面だけに発光性画像が形成されるか、または媒体Ｍの両面に発光性画像が形成されるか）などの条件に応じて、その媒体Ｍの搬送方向を切り替える。
【００５２】
上記した搬送ローラ６１〜６８のうち、定着部５０と排出口１Ｈとの間に配置されている搬送ローラ６４は、発光性画像が形成された媒体Ｍを載置台１Ｄの上に排出する「排出部」である。
【００５３】
［画像読取機能部］
画像読取機能部２００は、例えば、イメージスキャナである。この画像読取機能部２００は、特に、媒体Ｍに形成された発光性画像および通常画像を読み取り可能である。画像形成装置では、例えば、上記した複合機の一連の機能のうち、複写機、イメージスキャナおよびファクシミリなどの機能が画像読取機能部２００により実現される。
【００５４】
以下では、主に、画像読取機能部２００が発光性画像を読み取る場合を例に挙げながら、その画像読取機能部２００の構成を説明する。
【００５５】
この画像読取機能部２００は、例えば、読取台８１と、読取蓋８２と、発光ライト８３と、操作パネル９０とを含んでいる。
【００５６】
読取台８１は、載置台１Ｄから離間されると共に載置台１Ｄと対向するように配置された屋根部材である。
【００５７】
この読取台８１は、媒体Ｍに形成された発光性画像を読み取る際に、その媒体Ｍが載置される台であり、例えば、ＣＩＳ（Contact Image Sensor）などのセンサを内蔵している。
【００５８】
読取台８１の一端部は、例えば、筐体１（突出部１Ｔ）により支持されている。これに伴い、読取台８１は、載置台１Ｄの上に媒体Ｍが排出される方向（Ｘ軸方向）に延在している。
【００５９】
筐体１（突出部１Ｔおよび載置台１Ｄ）と読取台８１との間には、排出口１Ｈから載置台１Ｄの上に排出された媒体Ｍを収容するための空間１Ｓが形成されている。この空間１Ｓに媒体Ｍが収容されている状態、すなわち載置台１Ｄの上に媒体Ｍが載置されている状態において、使用者は、筐体１と読取台８１との間に設けられた隙間１Ｇから媒体Ｍを視認可能である。すなわち、使用者は、隙間１Ｇから空間１Ｓを覗き込むことにより、媒体Ｍに所望の発光性画像が形成されているかどうかを確認可能である。
【００６０】
屋根部材である読取台８１が載置台１Ｄの上方に配置されていると、その載置台１Ｄが配置されていない場合と比較して、外光などが読取台８１などにより遮断されるため、空間１Ｓの内部が暗くなる。これにより、使用者が隙間１Ｇから空間１Ｓを覗き込む際に、発光性画像の発光状態が外光の影響を受けにくくなるため、その使用者が発光性画像を確認しやすくなる。
【００６１】
読取蓋８２は、読取台８１に設けられた開閉可能な蓋である。この読取蓋８２は、上記した開閉動作を利用して、必要に応じて読取台８１を遮蔽可能である。図１では、例えば、読取蓋８２が閉じた状態を示している。
【００６２】
発光ライト８３は、載置台１Ｄの上に排出された媒体Ｍに対して発光用光Ｌ（図６参照）を照射する照射部であり、いわゆる光源である。この発光ライト８３は、媒体Ｍの排出方向の下流側に配置されていると共に、載置台１Ｄよりも高い位置に配置されている。また、発光ライト８３は、媒体Ｍの排出方向の下流側から上流側に向けて発光用光Ｌを照射する。
【００６３】
「媒体Ｍの排出方向の下流側」とは、載置台１Ｄに対向する領域のうち、その載置台１Ｄの上に媒体Ｍが排出される方向（Ｘ軸方向）における前側を意味している。これに伴い、「発光ライト８３が媒体Ｍの排出方向の下流側に配置されている」とは、載置台１Ｄに対向する領域のうち、排出口１Ｈから遠い側に発光ライト８３が配置されていることを意味している。
【００６４】
一方、「媒体Ｍの排出方向の上流側」とは、上記した下流側の反対側であり、載置台１Ｄに対向する領域のうち、その載置台１Ｄの上に媒体Ｍが排出される方向（Ｘ軸方向）における後側（排出口１Ｈに近い側）である。これに伴い、「発光ライト８３が媒体Ｍの排出方向の下流側から上流側に向けて発光用光Ｌを照射する」とは、その発光ライト８３が排出口１Ｈから遠い側から排出口１Ｈに近い側に向けて発光用光Ｌを照射すること意味している。
【００６５】
言い替えれば、発光ライト８３は、排出部である搬送ローラ６４により載置台１Ｄの上に媒体Ｍが排出される場合において、その搬送ローラ６４から遠い側に配置されていると共に、その搬送ローラ６４に近い側に向けて発光用光Ｌを照射する。
【００６６】
または、発光ライト８３は、排出口１Ｈから載置台１Ｄの上に媒体Ｍが排出される場合において、その排出口１Ｈから遠い側に配置されていると共に、その排出口１Ｈに近い側に向けて発光用光Ｌを照射する。
【００６７】
この発光ライト８３は、例えば、読取台８１の下面に取り付けられているため、その発光ライト８３は、例えば、屋根部である読取台８１により支持されている。
【００６８】
上記したように、画像形成部である現像部３０、転写部４０および定着部５０と、排出部である搬送ローラ６４とは、例えば、画像形成機能部１００の構成要素である筐体１の内部に収納されている。これに対して、発光ライト８３は、例えば、画像読取機能部２００の構成要素である読取台８１の下面に取り付けられている。このため、発光ライト８３は、例えば、筐体１の外部に配置されている。
【００６９】
発光ライト８３が筐体１の外部に配置されているため、画像形成装置に発光ライト８３を後付けする際に、その画像形成機能部１００を分解などする必要がない。これにより、画像形成装置に発光ライト８３を容易に後付けできる。
【００７０】
発光ライト８３の位置は、読取台８１の下面のうち、媒体Ｍの排出方向の下流側の位置であれば、特に限定されない。中でも、発光ライト８３は、媒体Ｍの排出方向に対向（正対）する位置に配置されていることが好ましい。発光ライト８３の照射方向が後述する使用者の視線方向Ｅと同じ方向になるため、その発光ライト８３から照射された発光用光Ｌを使用者が直視しにくくなるからである。
【００７１】
発光ライト８３の照射角度および照射範囲は、例えば、載置台１Ｄの上に載置されている媒体Ｍのうちのできるだけ広範囲の領域に発光用光Ｌを照射できる角度および範囲であることが好ましい。発光性画像が広範囲において発光しやすくなるため、使用者が発光性画像を確認しやすくなるからである。
【００７２】
操作パネル９０は、例えば、読取台８１の一端部に取り付けられており、使用者が画像形成装置を操作するために用いられる。この操作パネル９０は、例えば、図２に示したように、１または２以上の機能ボタン９１と、表示パネル９２とを含んでいる。
【００７３】
ここでは、操作パネル９０は、例えば、５個の機能ボタン９１を含んでいる。具体的には、５個の機能ボタン９１は、例えば、コピーボタン９１Ａ、スキャンボタン９１Ｂ、プリントボタン９１Ｃ、ファックスボタン９１Ｄおよびライトボタン９１Ｅである。
【００７４】
使用者は、５個の機能ボタン９１のうちのいずれかを押すことにより、画像形成装置の機能を切り替え可能である。具体的には、コピーボタン９１Ａは、例えば、画像形成機能部１００の機能（複写機）および画像読取機能部２００の機能（複写機）を利用して、発光性画像が形成された媒体Ｍを複製するために用いられる。スキャンボタン９１Ｂは、例えば、画像読取機能部２００の機能（イメージスキャナ）を利用して、媒体Ｍに形成されている発光性画像を読み取るために用いられる。プリントボタン９１Ｃは、例えば、画像形成機能部１００の機能（プリンタ）を利用して、外部から画像形成装置に供給される画像データに基づいて媒体Ｍの表面に発光性画像を形成するために用いられる。ファックスボタン９１Ｄは、例えば、画像読取機能部２００の機能（ファックス）を利用して、媒体Ｍに形成された発光性画像を読み取ると共にその発光性画像のデータを外部に送信するために用いられる。ライトボタン９１Ｅは、例えば、発光ライト８３の動作（点灯および消灯など）を手動で切り替えるために用いられる。
【００７５】
表示パネル９２は、使用者が画像形成装置を操作するために必要な操作用の情報を表示する表示部であり、例えば、タッチパネル型の液晶ディスプレイなどのうちのいずれか１種類または２種類以上を含んでいる。図２では、例えば、発光ライト８３を点灯させるために、使用者がライトボタン９１Ｅを押した状態を示している。なお、図１に示した矢印Ｅは、表示パネル９２を見ながら操作パネル９０を操作する使用者の視線方向を表している。
【００７６】
操作パネル９０の向きは、使用者が操作パネル９０を操作しやすい向きであれば、特に限定されない。中でも、例えば、図１に示したように、操作パネル９０は、筐体１（載置台１Ｄおよび突出部１Ｔ）および読取台８１と一緒に空間１Ｓを形成しながら隙間１Ｇを狭めるために、その読取台８１の延在方向に対して斜めに傾くように延在していることが好ましい。外光が操作パネル９０により遮断されるため、空間１Ｓの内部がより暗くなるからである。これにより、使用者が隙間１Ｇから空間１Ｓを覗き込む際に、発光性画像の発光状態が外光の影響をより受けにくくなるため、その使用者が発光性画像をより確認しやすくなる。
【００７７】
表示部である操作パネル９０の表示方向との関係において、発光ライト８３は、その表示パネル９２の表示方向の反対方向に向けて発光用光Ｌを照射することが好ましい。上記したように、発光ライト８３の照射方向が使用者の視線方向Ｅと同じ方向になるため、その発光ライト８３から照射された発光用光Ｌを使用者が直視しにくくなるからである。
【００７８】
なお、操作パネル９０は、例えば、上記した１または２以上の機能ボタン９１と共に、１または２以上の他のボタンを含んでいてもよい。他のボタンの機能および用途は、特に限定されない。他のボタンは、例えば、画像形成装置の他の機能を発揮させるためのボタンおよび画像形成装置の動作を設定するためのボタンなどである。
【００７９】
＜１−２．現像部の詳細な構成＞
次に、図１に示した現像部３０の詳細な構成に関して説明する。図３は、現像部３０の平面構成（ＸＺ面）を拡大している。
【００８０】
現像部３０Ｕ，３０Ｋ，３０Ｃ，３０Ｍ，３０Ｙのそれぞれは、例えば、図３に示したように、感光体ドラム３１と、帯電ローラ３２と、現像ローラ３３と、供給ローラ３４と、現像ブレード３５と、クリーニングブレード３６と、発光ダイオード（ＬＥＤ）ヘッド３７と、カートリッジ３８とを含んでいる。
【００８１】
感光体ドラム３１は、例えば、円筒状の導電性支持体と、その導電性支持体の外周面を被覆する光導電層とを含む有機系感光体であり、モータなどの駆動源を介して回転可能である。導電性支持体は、例えば、アルミニウムなどの金属材料のうちのいずれか１種類または２種類以上を含む金属パイプである。光導電層は、例えば、電荷発生層および電荷輸送層などを含む積層体である。
【００８２】
帯電ローラ３２は、例えば、金属シャフトと、その金属シャフトの外周面を被覆する半導電性エピクロロヒドリンゴム層とを含んでいる。この帯電ローラ３２は、感光体ドラム３１を帯電させるために、その感光体ドラム３１に圧接されている。
【００８３】
現像ローラ３３は、例えば、金属シャフトと、その金属シャフトの外周面を被覆する半導電性ウレタンゴム層とを含んでいる。この現像ローラ３３は、供給ローラ３４から供給される現像剤を担持すると共に、感光体ドラム３１の表面に形成された静電潜像に現像剤を付着させる。
【００８４】
供給ローラ３４は、例えば、金属シャフトと、その金属シャフトの外周面を被覆する半導電性発泡シリコンスポンジ層とを含んでいる。この供給ローラ３４は、現像ローラ３３に摺接しながら、感光体ドラム３１の表面に現像剤を供給する。
【００８５】
現像ブレード３５は、供給ローラ３４の表面に供給された現像剤の厚さを規制する。この現像ブレード３５は、例えば、現像ローラ３３から所定の距離を隔てた位置に配置されており、その現像ローラ３３と現像ブレード３５との間隔に基づいて現像剤の厚さが制御される。また、現像ブレード３５は、例えば、ステンレスなどの金属材料のうちのいずれか１種類または２種類以上を含んでいる。
【００８６】
クリーニングブレード３６は、感光体ドラム３１の表面に残留した不要な現像剤を掻き取る。このクリーニングブレード３６は、例えば、感光体ドラム３１の延在方向と略平行な方向に延在しており、その感光体ドラム３１に圧接されている。また、クリーニングブレード３６は、例えば、ウレタンゴムなどの高分子材料のうちのいずれか１種類または２種類以上を含んでいる。
【００８７】
ＬＥＤヘッド３７は、感光体ドラム３１の表面を露光することにより、その感光体ドラム３１の表面に静電潜像を形成する露光装置であり、例えば、ＬＥＤ素子およびレンズアレイなどを含んでいる。ＬＥＤ素子およびレンズアレイは、そのＬＥＤ素子から出力された光（照射光）が感光体ドラム３１の表面において結像するように配置されている。
【００８８】
カートリッジ３８は、例えば、現像部３０に対して着脱可能に装着されており、現像剤を収納している。カートリッジ３８に収納されている現像剤の種類（色）は、例えば、以下の通りである。現像部３０Ｙのカートリッジ３８は、例えば、イエローの現像剤を収納している。現像部３０Ｍのカートリッジ３８は、例えば、マゼンタの現像剤を収納している。現像部３０Ｃのカートリッジ３８は、例えば、シアンの現像剤を収納している。現像部３０Ｋのカートリッジ３８は、例えば、ブラックの現像剤を収納している。現像部３０Ｕのカートリッジ３８は、例えば、発光性材料である蛍光色の現像を収納している。この蛍光色の種類（色）は、蛍光性を有する色であれば、特に限定されない。蛍光色は、例えば、蛍光イエロー、蛍光マゼンタおよび蛍光シアンなどである。
【００８９】
イエローの現像剤、マゼンタの現像剤、シアンの現像剤およびブラックの現像剤のうちのいずれか１種類または２種類以上は、例えば、通常画像（カラー画像）を形成するために用いられる。蛍光色の現像剤は、例えば、認証用の画像などを形成するために用いられる。もちろん、イエローの現像剤、マゼンタの現像剤、シアンの現像剤およびブラックの現像剤のうちのいずれか１種類または２種類以上と蛍光色の現像剤とが併用されてもよい。この場合には、例えば、イエローの現像剤、マゼンタの現像剤、シアンの現像剤およびブラックの現像剤のうちのいずれか１種類または２種類以上を用いて通常画像が形成されたのち、その通常画像の上に、蛍光色の現像剤を用いて認証用の画像などが形成される。
【００９０】
イエローの現像剤、マゼンタの現像剤、シアンの現像剤、ブラックの現像剤および蛍光色の現像剤のそれぞれは、例えば、一成分現像方式の現像剤であり、より具体的には、負帯電の現像剤である、
【００９１】
一成分現像方式とは、現像剤に電荷を付与するためのキャリア（磁性粒子）を用いずに、その現像剤自身に適切な帯電量を付与する方式である。これに対して、二成分現像方式とは、上記したキャリアと現像剤とを混合することにより、そのキャリアと現像剤との摩擦を利用して現像剤に適切な帯電量を付与する方式である。
【００９２】
イエローの現像剤は、例えば、イエローの着色剤を含んでいる。ただし、イエローの現像剤は、イエローの着色剤と共に、他の材料のうちのいずれか１種類または２種類以上を含んでいてもよい。
【００９３】
イエローの着色剤は、例えば、イエローの顔料およびイエローの染料（色素）などのうちのいずれか１種類または２種類以上を含んでいる。イエローの顔料は、例えば、ピグメントイエロー７４などである。イエローの染料は、例えば、Ｃ．Ｉ．ピグメントイエロー７４およびカドミウムイエローなどである。
【００９４】
他の材料の種類は、特に限定されないが、例えば、結着剤、外添剤、離型剤および帯電制御剤などである。
【００９５】
結着剤は、主に、着色剤などを結着させる。この結着剤は、例えば、ポリエステル系樹脂、スチレン−アクリル系樹脂、エポキシ系樹脂およびスチレン−ブタジエン系樹脂などの高分子化合物のうちのいずれか１種類または２種類以上を含んでいる。
【００９６】
中でも、結着剤は、ポリエステル系樹脂を含んでいることが好ましい。ポリエステル系樹脂は、紙などの媒体Ｍに対して高い親和性を有するため、結着剤としてポリエステル系樹脂を含む現像剤は、媒体Ｍに定着しやすくなるからである。また、ポリエステル系樹脂は、比較的分子量が小さい場合においても高い物理的強度を有するため、結着剤としてポリエステル系樹脂を含む現像剤は、優れた耐久性を有するからである。
【００９７】
このポリエステル系樹脂は、例えば、１または２以上のアルコールと１または２以上のカルボン酸との反応物（縮重合体）である。
【００９８】
アルコールの種類は、特に限定されないが、中でも、２価以上のアルコールおよびその誘導体などであることが好ましい。この２価以上のアルコールは、例えば、エチレングリコール、ジエチレングリコール、トリエチレングリコール、ポリエチレングリコール、プロピレングリコール、ブタンジオール、ペンタンジオール、ヘキサンジオール、シクロヘキサンジメタノール、キシレングリコール、ジプロピレングリコール、ポリプロピレングリコール、ビスフェノールＡ、水添ビスフェノールＡ、ビスフェノールＡエチレンオキサイド、ビスフェノールＡプロピレンオキサイド、ソルビトールおよびグリセリンなどである。
【００９９】
カルボン酸の種類は、特に限定されないが、中でも、２価以上のカルボン酸およびその誘導体などであることが好ましい。この２価以上のカルボン酸は、例えば、マレイン酸、フマール酸、フタル酸、イソフタル酸、テレフタル酸、コハク酸、アジピン酸、トリメリット酸、ピロメリット酸、シクロペンタンジカルボン酸、無水コハク酸、無水トリメリット酸、無水マレイン酸およびドデセニル無水コハク酸などである。
【０１００】
外添剤は、主に、イエローの現像剤同士の凝集などを抑制することにより、そのイエローの現像剤の流動性を向上させる。この外添剤は、例えば、無機材料および有機材料などのうちのいずれか１種類または２種類以上を含んでいる。無機材料は、例えば、疎水性シリカなどである。有機材料は、例えば、メラミン樹脂などである。
【０１０１】
離型剤は、主に、イエローの現像剤の定着性および耐オフセット性などを向上させる。この離型剤は、例えば、脂肪族炭化水素系ワックス、脂肪族炭化水素系ワックスの酸化物、脂肪酸エステル系ワックス、脂肪酸エステル系ワックスの脱酸化物などのワックスのうちのいずれか１種類または２種類以上を含んでいる。この他、離型剤は、例えば、上記した一連のワックスのブロック共重合物などでもよい。
【０１０２】
脂肪族炭化水素系ワックスは、例えば、低分子量ポリエチレン、低分子量ポリプロピレン、オレフィンの共重合物、マイクロクリスタリンワックス、パラフィンワックスおよびフィッシャートロプシュワックスなどである。脂肪族炭化水素系ワックスの酸化物は、例えば、酸化ポリエチレンワックスなどである。脂肪酸エステル系ワックスは、例えば、カルナバワックスおよびモンタン酸エステルワックスなどである。脂肪酸エステル系ワックスの脱酸化物は、その脂肪酸エステル系ワックスのうちの一部または全部が脱酸化されたワックスであり、例えば、脱酸カルナバワックスなどである。
【０１０３】
帯電制御剤は、主に、イエローの現像剤の摩擦帯電性などを制御する。負帯電の現像剤である現像剤に用いられる帯電制御剤は、例えば、アゾ系錯体、サリチル酸系錯体およびカリックスアレン系錯体などのうちのいずれか１種類または２種類以上を含んでいる。
【０１０４】
マゼンタの現像剤、シアンの現像剤およびブラックの現像剤のそれぞれは、例えば、着色剤の種類が異なることを除いて、上記したイエローの現像剤と同様の構成を有している。マゼンタの顔料は、例えば、キナクリドンなどである。シアンの顔料は、例えば、フタロシアニンブルー（Ｃ．Ｉ．Ｐｉｇｍｅｎｔ  Ｂｌｕｅ  １５：３）などである。ブラックの顔料は、例えば、カーボンなどである。マゼンタの染料は、例えば、Ｃ．Ｉ．ピグメントレッド２３８などである。シアンの染料は、例えば、ピグメントブルー１５：３などである。ブラックの染料は、例えば、カーボンブラックなどであり、そのカーボンブラックは、例えば、ファーネスブラックおよびチャンネルブラックなどである。
【０１０５】
蛍光色の現像剤は、例えば、着色剤の種類などが異なることを除いて、上記したイエローの現像剤、マゼンタの現像剤およびシアンの現像剤のそれぞれとほぼ同様の構成を有している。
【０１０６】
具体的には、蛍光イエローの現像剤は、例えば、イエローの着色剤に代えて蛍光イエローの着色剤を含んでいることを除いて、イエローの現像剤と同様の構成を有している。蛍光イエローの着色剤は、例えば、シンロイヒ株式会社製の蛍光イエロー着色剤（ＳＸ−１００シリーズまたはＳＸ−１０００シリーズ）などである。
【０１０７】
蛍光マゼンタの現像剤は、例えば、マゼンタの着色剤に代えて蛍光マゼンタの着色剤を含んでいることを除いて、マゼンタの現像剤と同様の構成を有している。蛍光マゼンタの着色剤は、例えば、シンロイヒ株式会社製の蛍光マゼンタ着色剤（ＳＸ−１００シリーズまたはＳＸ−１０００シリーズ）などである。
【０１０８】
蛍光シアンの現像剤は、例えば、さらに蛍光増白剤を含んでいることを除いて、シアンの現像剤と同様の構成を有している。蛍光増白剤は、例えば、スチルベン系化合物、クマリン系化合物およびビフェニル系化合物などのうちのいずれか１種類または２種類以上である。
【０１０９】
なお、イエローの現像剤、マゼンタの現像剤、シアンの現像剤、ブラックの現像剤および蛍光色の現像剤のそれぞれの製造方法は、特に限定されない。この製造方法は、例えば、粉砕法でもよいし、重合法でもよいし、それら以外の方法でもよい。もちろん、上記した製造方法のうちの２種類以上を併用してもよい。重合法は、例えば、溶解懸濁法などである。
【０１１０】
＜１−３．ブロック構成＞
次に、画像形成装置のブロック構成に関して説明する。図４は、画像形成装置のブロック構成を表している。
【０１１１】
画像形成装置は、例えば、外部から供給される画像データに基づいて、媒体Ｍの表面に発光性画像または通常画像を形成する。すなわち、画像形成装置は、例えば、画像データが発光性画像データである場合には、イエローの現像剤、マゼンタの現像剤、シアンの現像剤およびブラックの現像剤のうちのいずれか１種類または２種類以上と共に蛍光色の現像剤を用いて、発光性画像を形成する。一方、画像形成装置は、例えば、画像データが通常画像データである場合には、蛍光色現像剤を用いずに、イエローの現像剤、マゼンタの現像剤、シアンの現像剤およびブラックの現像剤のうちのいずれか１種類または２種類以上を用いて、通常画像を形成する。
【０１１２】
以下では、主に、画像形成装置が発光性画像を形成する場合を例に挙げながら、その画像形成装置のブロック構成を説明する。
【０１１３】
画像形成装置は、例えば、図４に示したように、筐体１の内部に、制御部３００と、人感センサ４０１と、画像処理部４０２と、データ受信部４０３と、通信ＩＦ（インターフェース）部４０４とを備えていると共に、その筐体１の外部に、操作パネル９０を備えている。
【０１１４】
制御部３００は、画像形成装置の全体の動作を制御する。この制御部３００は、例えば、画像データ判断部３０１と、発光ライト点灯制御部３０２と、画像形成用データ形成部３０３と、排出面判断部３０４とを含んでいる。
【０１１５】
画像データ判断部３０１は、例えば、外部から画像形成装置に供給された画像データが発光性画像データであるか否かを判断する。
【０１１６】
発光ライト点灯制御部３０２は、例えば、発光性画像データに含まれている点灯指示情報に基づいて、発光ライト８３の点灯動作を制御する。この点灯指示情報は、点灯の要否に関する情報および点灯タイミングに関する情報などを含んでいる。
【０１１７】
点灯タイミングに関する情報の内容は、例えば、以下の通りである。第１に、発光性画像が形成された媒体Ｍを載置台１Ｄの上に排出する際に、その媒体Ｍの排出に応じて発光ライト８３を自動的に点灯させることを指示する情報である。第２に、媒体Ｍの排出に応じて発光ライト８３を自動的に点灯させずに、その媒体Ｍを取得するために使用者が画像形成装置に接近したことを人感センサ４０１が検出した際に、その人感センサ４０１の検出に応じて発光ライト８３を自動的に点灯させることを指示する情報である。第３に、媒体Ｍの排出時には発光ライト８３を点灯させないことを指示する情報である。この場合には、例えば、必要に応じて使用者が手動で発光ライト８３を点灯可能である。
【０１１８】
すなわち、発光ライト点灯制御部３０２は、例えば、点灯指示情報に基づいて自動的に発光ライト８３を点灯させると共に、使用者による操作パネル９０（ライトボタン９１Ｅ）の操作に応じて非自動的に発光ライト８３を点灯させる。
【０１１９】
画像形成用データ形成部３０３は、例えば、外部から画像形成装置に供給された発光性画像データに基づいて、媒体Ｍの表面に発光性画像を形成するために必要な画像形成用データを形成すると共に、その画像形成用データを画像処理部４０２に出力する。
【０１２０】
排出面判断部３０４は、例えば、点灯指示情報が発光ライト８３を点灯させることを指示する情報である場合において、発光性画像データに含まれている画像形成面情報に基づいて、発光性画像が媒体Ｍの表面に形成されるか否かを判断する。
【０１２１】
この排出面判断部３０４は、例えば、画像形成面情報が媒体Ｍの表面に発光性画像を形成することを指示する情報である場合には、その表面が上側を向いた状態で媒体Ｍが載置台１Ｄの上に排出されるように、画像処理部４０２に指示（フェースアップ排出指示）する。一方、排出面判断部３０４は、例えば、画像形成面情報が媒体Ｍの裏面に発光性画像を形成することを指示する情報である場合には、その裏面が上側を向いた状態で媒体Ｍが載置台１Ｄの上に排出されるように、画像処理部４０２に指示（フェースダウン排出指示）する。
【０１２２】
人感センサ４０１は、例えば、上記したように、点灯指示情報が使用者の接近に応じて発光性ライト８３を自動的に点灯させることを指示する情報である場合において、その使用者の接近を検出すると、発光ライト点灯制御部３０２に検出信号を出力する。
【０１２３】
画像処理部４０２は、例えば、画像形成用データ形成部３０３により形成された画像形成用データに基づいて、媒体Ｍの表面に発光性画像を形成する。
【０１２４】
データ受信部４０３は、例えば、外部から画像形成装置に送信された画像データなどを受信する。
【０１２５】
通信ＩＦ部４０４は、例えば、画像形成装置が外部から画像データなどを受信するために用いられるインターフェースであり、１または２以上の端末装置５００と接続されている。この端末装置５００は、例えば、使用者が操作可能であるパーソナルコンピュータなどである。図４では、例えば、通信ＩＦ部４０４が２個の端末装置５００（端末装置Ａ５０１，端末装置Ｂ５０２）に接続されている場合を示している。
【０１２６】
通信ＩＦ部４０４と端末装置５００との接続方式は、特に限定されない。具体的には、接続方式は、例えば、ＵＳＢ（ユニバーサルシリアルバス）などの接続用端子（データ伝送路）でもよいし、インターネットなどのネットワークでもよい。
【０１２７】
＜１−４．動作＞
次に、画像形成装置の動作に関して説明する。
【０１２８】
図５は、画像形成装置の動作を説明するための流れを表している。図６は、画像形成装置の動作を説明するために、図１に対応する平面構成（ＸＺ面）を表している。
【０１２９】
この画像形成装置は、例えば、以下で説明するように、画像の形成処理および発光ライト３８の点灯処理を実行する。なお、画像の形成処理を説明する場合には、端末装置Ａ５０１から画像形成装置に送信された発光性画像データに基づいて発光性画像を形成する場合を例に挙げる。
【０１３０】
［画像の形成処理］
画像形成装置は、例えば、図１〜図３および図６に示したように、画像の形成処理（現像処理、転写処理、定着処理およびクリーニング処理）を実行することにより、媒体Ｍに発光性画像を形成する。以下では、まず、媒体Ｍの片面（表面）に発光性画像を形成する場合に関して説明する。
【０１３１】
（現像処理）
トレイ１０に収納された媒体Ｍは、送り出しローラ２０により取り出される。この送り出しローラ２０により取り出された媒体Ｍは、搬送ローラ６１，６２により搬送経路Ｒ１に沿って矢印Ｆ１の方向に搬送される。
【０１３２】
現像処理では、現像部３０Ｕにおいて、感光体ドラム３１が回転すると、帯電ローラ３２が回転しながら感光体ドラム３１の表面に直流電圧を印加する。これにより、感光体ドラム３１の表面が均一に帯電する。
【０１３３】
続いて、端末装置Ａ５０１から画像形成装置に送信された発光性画像データに基づいて、ＬＥＤヘッド３７が感光体ドラム３１の表面に光を照射する。これにより、感光体ドラム３１の表面では、光の照射部分において表面電位が減衰（光減衰）するため、その感光体ドラム３１の表面に静電潜像が形成される。
【０１３４】
一方、現像部３０Ｕでは、カートリッジ３８に収納されている蛍光色の現像剤が供給ローラ３４に向けて放出される。
【０１３５】
供給ローラ３４に電圧が印加されたのち、その供給ローラ３４が回転する。これにより、カートリッジ３８から蛍光色の現像剤が供給ローラ３４の表面に供給される。
【０１３６】
現像ローラ３３に電圧が印加されたのち、その現像ローラ３３が供給ローラ３４に圧接されながら回転する。これにより、供給ローラ３４の表面に供給された蛍光色の現像剤が現像ローラ３３の表面に吸着するため、その蛍光色の現像剤が現像ローラ３３の回転を利用して搬送される。この場合には、現像ローラ３３の表面に吸着されている蛍光色の現像剤の一部が現像ブレード３５により除去されるため、その現像ローラ３３の表面に吸着された蛍光色の現像剤の厚さが均一化される。
【０１３７】
現像ローラ３３に圧接されながら感光体ドラム３１が回転したのち、その現像ローラ３３の表面に吸着されていた蛍光色の現像剤が感光体ドラム３１の表面に移行する。これにより、感光体ドラム３１の表面（静電潜像）に蛍光色の現像剤が付着する。
【０１３８】
（１次転写処理）
転写部４０において、駆動ローラ４２が回転すると、その駆動ローラ４２の回転に応じて従動ローラ４３およびバックアップローラ４４が回転する。これにより、中間転写ベルト４１が矢印Ｆ５の方向に移動する。
【０１３９】
１次転写処理では、１次転写ローラ４５Ｕに電圧が印加されている。この１次転写ローラ４５Ｕは、中間転写ベルト４１を介して感光体ドラム３１に圧接されているため、上記した現像処理において感光体ドラム３１の表面（静電潜像）に付着された蛍光色の現像剤は、中間転写ベルト４１に転写される。
【０１４０】
こののち、蛍光色の現像剤が転写された中間転写ベルト４１は、引き続き矢印Ｆ５の方向に移動する。これにより、現像部３０Ｋ，３０Ｃ，３０Ｍ，３０Ｙおよび１次転写ローラ４５Ｋ，４５Ｃ，４５Ｍ，４５Ｙにおいて、上記した現像部３０Ｕおよび１次転写ローラ４５Ｕと同様の手順により現像処理および１次転写処理が順に行われる。よって、中間転写ベルト４１に各色（ブラック、シアン、マゼンタおよびイエロー）の現像剤が順次転写される。
【０１４１】
すなわち、現像部３０Ｋおよび１次転写ローラ４５Ｋにより、中間転写ベルト４１の表面にブラックの現像剤が転写される。続いて、現像部３０Ｃおよび１次転写ローラ４５Ｃにより、中間転写ベルト４１の表面にシアンの現像剤が転写される。続いて、現像部３０Ｍおよび１次転写ローラ４５Ｍにより、中間転写ベルト４１の表面にマゼンタの現像剤が転写される。続いて、現像部３０Ｙおよび１次転写ローラ４５Ｙにより、中間転写ベルト４１の表面にイエローの現像剤が転写される。
【０１４２】
もちろん、実際に現像部３０Ｋ，３０Ｃ，３０Ｍ，３０Ｙおよび１次転写ローラ４５Ｋ，４５Ｃ，４５Ｍ，４５Ｙのそれぞれにおいて現像処理および転写処理が行われるかどうかは、発光性画像を形成するために必要な色（色の組み合わせ）に応じて決定される。
【０１４３】
（２次転写処理）
搬送経路Ｒ１に沿って搬送される媒体Ｍは、バックアップローラ４４と２次転写ローラ４６との間を通過する。
【０１４４】
２次転写処理では、２次転写ローラ４６に電圧が印加されている。この２次転写ローラ４６は、媒体Ｍを介してバックアップローラ４４に圧接されるため、上記した１次転写処理において中間転写ベルト４１に転写された蛍光色の現像剤などは、媒体Ｍに転写される。
【０１４５】
（定着処理）
２次転写処理において媒体Ｍに蛍光色の現像剤などが転写されたのち、その媒体Ｍは、引き続き搬送経路Ｒ１に沿って矢印Ｆ１の方向に搬送されるため、定着部５０に投入される。
【０１４６】
定着処理では、加熱ローラ５１の表面温度が所定の温度となるように制御されている。加熱ローラ５１に圧接されながら加圧ローラ５２が回転すると、その加熱ローラ５１と加圧ローラ５２との間を通過するように媒体Ｍが搬送される。
【０１４７】
これにより、媒体Ｍの表面に転写された蛍光色の現像剤などが加熱されるため、その蛍光色の現像剤などが溶融する。しかも、溶融状態である蛍光色の現像剤などが媒体Ｍに圧接されるため、その蛍光色の現像剤などが媒体Ｍに強固に付着する。よって、媒体Ｍの表面に発光性画像が形成される。
【０１４８】
発光性画像が形成された媒体Ｍは、搬送経路Ｒ２に沿って搬送ローラ６３，６４により矢印Ｆ２の方向に搬送される。これにより、媒体Ｍは、発光性画像が形成された面（表面）が上側を向いた状態で排出口１Ｈから載置台１Ｄの上に排出される。
【０１４９】
なお、媒体Ｍの搬送手順は、その媒体Ｍの表面に形成される発光性画像の様式に応じて変更される。この「発光性画像の様式」とは、媒体Ｍの表面に発光性画像を形成するか、それとも媒体Ｍの裏面に発光性画像を形成するかである。
【０１５０】
例えば、媒体Ｍの表面に通常画像を形成すると共に、その媒体Ｍの裏面に発光性画像を形成する場合には、最初に、蛍光色の現像剤を用いないことを除いて同様の手順（現像処理、転写処理および定着処理）により、媒体Ｍの表面に通常画像を形成する。続いて、定着部５０を通過した媒体Ｍは、搬送ローラ６５〜６８により搬送経路Ｒ３〜Ｒ５に沿って矢印Ｆ３，Ｆ４の方向に搬送されたのち、搬送ローラ６１，６２により搬送経路Ｒ１に沿って再び矢印Ｆ１の方向に搬送される。この場合において、媒体Ｍが搬送される方向は、搬送路切り替えガイド７１，７２により制御される。最後に、蛍光色の現像剤を用いて同様の手順（現像処理、転写処理および定着処理）により、媒体Ｍの裏面に発光性画像を形成したのち、その発光性画像が形成された媒体Ｍは、搬送ローラ６３，６４により搬送経路Ｒ２に沿って矢印Ｆ２の方向に搬送される。これにより、媒体Ｍは、発光性画像が形成された面（裏面）が上側を向いた状態で排出口１Ｈから載置台１Ｄの上に排出される。
【０１５１】
（クリーニング処理）
この画像形成装置は、任意のタイミングにおいてクリーニング処理を実行する。
【０１５２】
現像部３０Ｕでは、感光体ドラム３１の表面に不要な蛍光色の現像剤が残留する場合がある。この不要な蛍光色の現像剤は、例えば、１次転写処理において用いられた蛍光色の現像剤の一部であり、中間転写ベルト４１に転写されずに感光体ドラム３１の表面に残留した蛍光色の現像剤である。
【０１５３】
そこで、現像部３０Ｕでは、クリーニングブレード３６に圧接されている状態において感光体ドラム３１が回転するため、その感光体ドラム３１の表面に残留している蛍光色の現像剤がクリーニングブレード３６により掻き取られる。これにより、感光体ドラム３１の表面から不要な蛍光色の現像剤が除去される。
【０１５４】
なお、上記したクリーニングブレード３６を用いたクリーニング処理は、現像部３０Ｋ，３０Ｃ，３０Ｍ，３０Ｙのそれぞれにおいても同様に行われる。
【０１５５】
また、転写部４０では、１次転写処理において中間転写ベルト４１の表面に移行した蛍光色の現像剤などの一部が２次転写処理において媒体Ｍの表面に移行されずに、その中間転写ベルト４１の表面に残留する場合がある。
【０１５６】
そこで、転写部４０では、中間転写ベルト４１が矢印Ｆ５の方向に移動する際に、その中間転写ベルト４１の表面に残留した蛍光色の現像剤などがクリーニングブレード４７により掻き取られる。これにより、中間転写ベルト４１の表面から不要な蛍光色の現像剤などが除去される。
【０１５７】
これにより、画像の形成処理が完了する。
【０１５８】
［発光ライトの点灯処理］
また、画像形成装置は、例えば、図１〜図６に示したように、以下の手順により、必要に応じて発光ライト８３を点灯させる。以下では、媒体Ｍの表面に発光性画像を形成する動作を説明しながら、発光ライト８３の点灯動作を説明する。以下で説明する括弧書きのステップ番号は、図５に示したステップ番号に対応している。
【０１５９】
最初に、端末装置Ａ５０１から画像形成装置に画像データが送信されると、制御部３００は、データ受信部４０３および通信ＩＦ部４０４を介して画像データを取得する。
【０１６０】
続いて、画像データ判断部３０１は、画像データが発光性画像データであるか否かを判断する（ステップＳ１０１）。
【０１６１】
画像データが通常画像データである場合（ステップＳ１０１Ｎ）には、画像データ判断部３０１は、通常画像を形成することを画像形成用データ形成部３０３に指示する。これにより、画像形成用データ形成部３０３は、通常画像の画像形成用データを形成すると共に、その通常画像の画像形成用データを画像処理部４０２に出力するため、その画像処理部４０２は、通常画像の形成処理を実行する。よって、媒体Ｍの表面に通常画像が形成される（ステップＳ１０２）。この通常画像が形成された媒体Ｍは、排出口１Ｈから載置台１Ｄの上に排出される。
【０１６２】
一方、画像データが発光性画像データである場合（ステップＳ１０１Ｙ）には、発光性ライト点灯制御部３０２は、発光性画像データに含まれている点灯指示情報（発光ライト８３の点灯の要否に関する情報）に基づいて、発光ライト８３の点灯指示があるか否かを判断する（ステップＳ１０３）。
【０１６３】
発光ライト８３の点灯指示がない場合（ステップＳ１０３Ｎ）には、発光ライト点灯制御部３０２は、発光ライト８３を点灯させずに、発光性画像を形成することを画像形成用データ形成部３０３に指示する。これにより、画像形成用データ形成部３０３は、発光性画像の画像形成用データを形成すると共に、その発光性画像の画像形成用データを画像処理部４０２に出力するため、その画像処理部４０２は、発光性画像の形成処理を実行する。よって、媒体Ｍの表面に発光性画像が形成される（ステップＳ１０４）。この発光性画像が形成された媒体Ｍは、排出口１Ｈから載置台１Ｄの上に排出される。
【０１６４】
この場合には、例えば、上記したように、使用者が操作パネル９０を操作することにより、発光ライト８３を手動で点灯させることができる。具体的には、例えば、使用者がライトボタン９１Ｅを押すと、タッチパネル型の入力方式を備えた表示パネル９２に、発光ライト８３の点灯操作に関する情報が表示される。これにより、使用者は、表示パネル９２に触れることにより、発光ライト８３の点灯操作を行うことができる。
【０１６５】
使用者が手動で発光ライト８３を点灯させることにより、図６に示したように、載置台１Ｄの上に載置されている媒体Ｍに向けて発光ライト８３から発光用光Ｌが照射されるため、その媒体Ｍに形成されている発光性画像が発光する。よって、使用者は、載置台１Ｄの上から媒体Ｍを取り去ることなく、その載置台１Ｄの上に載置されている媒体Ｍを隙間Ｇから覗き込むことにより、その媒体Ｍを視認できる。すなわち、使用者は、媒体Ｍが載置台１Ｄの上に載置されている状態のままで、その媒体Ｍに所望の発光性画像が形成されているか否かを確認できる。
【０１６６】
一方、発光ライト８３の点灯指示がある場合（ステップＳ１０３Ｙ）には、発光ライト点灯制御部３０２は、発光性画像データに含まれている点灯指示情報（発光ライト８３の点灯タイミングに関する情報）に基づいて、発光ライト８３の点灯タイミングの設定を取得する（ステップＳ１０５）。この点灯タイミングの設定は、例えば、上記したように、発光性画像が形成された媒体Ｍを載置台１Ｄの上に排出する際に、その媒体Ｍの排出に応じて発光ライト８３を自動的に点灯させる設定である。または、点灯タイミングの設定は、例えば、上記したように、発光性画像が形成された媒体Ｍの排出時には発光ライト８３を点灯させずに、人感センサ４０１を介して使用者の接近を検出した際に発光ライト８３を自動的に点灯させる設定である。
【０１６７】
続いて、排出面判断部３０４は、発光性画像データに含まれている画像形成面情報に基づいて、発光性画像が媒体Ｍの表面に形成されるか否かを判断する（ステップＳ１０６）。
【０１６８】
発光性画像が媒体Ｍの表面に形成される場合（ステップＳ１０６Ｙ）には、排出面判断部３０４は、発光性画像が表面に形成されるように媒体Ｍを搬送させると共に、その発光性画像が形成された表面が上側を向いた状態（フェースアップ）で媒体Ｍが排出口１Ｈから載置台１Ｄの上に排出されるように、画像処理部４０２に指示する。これにより、画像処理部４０２は、発光性画像の形成処理を実行する。よって、媒体Ｍに発光性画像が形成されると共に、その発光性画像が形成された表面が上側を向いた状態で媒体Ｍが排出口１Ｈから載置台１Ｄの上に排出される（ステップＳ１０７）。
【０１６９】
一方、発光性画像が媒体Ｍの裏面に形成される場合（ステップＳ１０６Ｎ）には、排出面判断部３０４は、発光性画像が裏面に形成されるように媒体Ｍを搬送させると共に、その発光性画像が形成された裏面が上側を向いた状態（フェースダウン）で媒体Ｍが排出口１Ｈから載置台１Ｄの上に排出されるように、画像処理部４０２に指示する。これにより、画像処理部４０２は、発光性画像の形成処理を実行する。よって、媒体Ｍの裏面に発光性画像が形成されると共に、その発光性画像が形成された裏面が上側を向いた状態で媒体Ｍが排出口１Ｈから載置台１Ｄの上に排出される（ステップＳ１０８）。
【０１７０】
最後に、発光ライト点灯制御部３０２は、発光性画像が形成された媒体Ｍの排出に応じて、発光ライト８３を点灯させる（ステップＳ１０９）。これにより、図６に示したように、載置台１Ｄの上に載置されている媒体Ｍに向けて発光ライト８３から発光用光Ｌが照射されるため、その媒体Ｍの表面に形成されている発光性画像が発光する。よって、使用者が手動で発光ライト８３を点灯させた場合と同様に、その使用者は、載置台１Ｄの上から媒体Ｍを取り去ることなく、その媒体Ｍの表面に形成されている発光性画像を確認できる。
【０１７１】
発光ライト８３が点灯するタイミングは、例えば、上記したように、点灯タイミングの設定に基づいて、発光ライト点灯制御部３０２により制御される。具体的には、例えば、点灯タイミングの設定が媒体Ｍの排出に応じて発光ライト８３を自動的に点灯させる設定である場合には、発光ライト点灯制御部３０２は、媒体Ｍの排出に応じて自動的に発光ライト８３を点灯させる。または、例えば、点灯タイミングの設定が人感センサ４０１を利用して使用者の接近を検出した際に発光ライト８３を自動的に点灯させる設定である場合異は、発光ライト点灯制御部３０２は、人感センサ４０１が使用者の接近を検出した際に発光ライト８３を点灯させる。
【０１７２】
なお、発光ライト８３の点灯時間は、特に限定されない。具体的には、発光ライト８３は、例えば、使用者が発光ライト８３を消灯させるまで点灯し続けてもよいし、あらかじめ設定された点灯時間に応じて所定の時間だけ点灯してもよい。発光ライト８３の点灯時間に関する情報は、例えば、上記した発光性画像データに含まれていてもよい。もちろん、発光ライト８３があらかじめ設定された点灯時間に応じて所定の時間だけ点灯する場合には、使用者は、その点灯時間を任意に設定可能である。
【０１７３】
これにより、発光ライト８３の点灯処理が完了する。
【０１７４】
＜１−５．作用および効果＞
この画像形成装置では、読取台８１の下面に発光ライト８３が取り付けられている。この発光ライト８３は、発光性画像が形成された媒体Ｍの排出方向の下流側において載置台１Ｄよりも高い位置に配置されており、その排出方向の下流側から上流側に向けて発光用光Ｌを照射可能である。よって、以下で説明する理由により、載置台１Ｄの上に排出された媒体Ｍを取り出すことなく、その媒体Ｍに形成された媒体発光性画像を安全に確認できる。
【０１７５】
図７は、比較例の画像形成装置の平面構成（ＸＺ面）を表しており、図１および図６に対応している。この比較例の画像形成装置は、例えば、画像読取機能部２００を備えていないと共に発光ライト８３の位置が異なることを除いて、本実施形態の画像形成装置（図１および図６）とほぼ同様の構成を有していると共に、その本実施形態の画像形成装置とほぼ同様に動作する。
【０１７６】
この画像形成装置は、例えば、画像形成機能部１００を備えているが、画像読取機能部２００を備えていないため、いわゆる電子写真方式のフルカラープリンタである。発光ライト８３は、例えば、排出口１Ｈの下方に配置されるように、突出部１Ｔの内部に収納されている。この発光ライト８３は、例えば、突出部１Ｔに設けられた照射口１Ｊを通じて媒体Ｍに発光用光Ｌを照射する。すなわち、比較例の画像形成装置は、例えば、上記した特許文献１（特開２０１３−０９７１９９号公報）中の図１０に開示されている構成とほぼ同様の構成を有している。
【０１７７】
比較例の画像形成装置において、発光ライト８３が突出部１Ｔの内部に収納されているのは、読取台８１が存在しないため、載置台１Ｄよりも高い位置に発光ライト８３を配置するためには、その発光ライト８３を突出部１Ｔの内部に収納せざるを得ないからである。
【０１７８】
比較例の画像形成装置では、図７に示したように、媒体Ｍに発光性画像が形成されたのち、その媒体Ｍが排出口１Ｈから載置台１Ｄの上に排出されると、発光ライト８３が照射口１Ｊを通じて媒体Ｍに発光用光Ｌを照射する。これにより、発光性画像が発光するため、使用者は、媒体Ｍが載置台１Ｄの上に載置されている状態のままで、その媒体Ｍに所望の発光性画像が形成されているか否かを確認できる。
【０１７９】
しかしながら、発光ライト８３は、媒体Ｍの排出方向の上流側において載置台１Ｄよりも高い位置に配置されているため、その排出方向の上流側から下流側に向けて発光用光Ｌを照射する。この場合には、発光ライト８３の照射方向は、載置台１Ｄの上に載置されている媒体Ｍを確認しようとする使用者の視線方向Ｅに対向（正対）するため、その使用者は意図せずに発光用光Ｌを直視する可能性がある。使用者が発光用光Ｌを直視すると、その使用者の視力低下などを招く可能性があるため、発光性画像を安全に確認することが困難である。
【０１８０】
これに対して、本実施形態の画像形成装置では、図６に示したように、発光ライト８３は、媒体Ｍの排出方向の下流側において載置台１Ｄよりも高い位置に配置されているため、その排出方向の下流側から上流側に向けて発光用光Ｌを照射する。この場合には、発光ライト８３の照射方向は、載置台１Ｄの上に載置されている媒体Ｍを確認しようとする使用者の視線方向Ｅに対向（正対）しないため、その使用者は発光用光Ｌを直視しにくくなる。よって、発光性画像を安全に確認できる。
【０１８１】
なお、参考までに説明しておくと、特許文献１中の図１０に開示されている画像形成装置では、記録シートＳの搬送経路とカラープリント部４−１〜４−３との位置関係（図１）を見ると、画像形成面が下向きとなるように記録シートＳが排出されるはずである。この場合には、照明装置３２を用いて記録シートＳの画像形成面に光を照射するためには、記録シートＳが排出されたのち、画像形成面が上向きとなるようにユーザが記録シートＳを裏返さなければならない。よって、照明装置３２を用いて記録シートＳに形成された画像を発光させるためには、その記録シートＳをわざわざ裏返さなければならない点において、手間を要する。
【０１８２】
これに対して、本実施形態の画像形成装置では、上記したように、画像形成面が上向きとなるように媒体Ｍが排出されるため、発光ライト８３を用いて媒体Ｍの画像形成面に光を照射するために、ユーザがわざわざ媒体Ｍを裏返さなくてよい。よって、発光ライト８３を用いて媒体Ｍに形成された画像を容易に発光させることができる。
【０１８３】
この他、本実施形態の画像形成装置では、以下の利点が得られる。
【０１８４】
第１に、発光ライト８３が媒体Ｍの排出方向と対向する位置に配置されていれば、その発光ライト８３の照射方向が使用者の視線方向Ｅと同じ方向になる。よって、発光ライト８３から照射された発光用光Ｌを使用者がより直視しにくくなるため、より高い効果を得ることができる。
【０１８５】
第２に、発光ライト８３が筐体１の外部に配置されていれば、その発光ライト８３を後付けする際に画像形成機能部１００を分解などする必要がない。よって、発光ライト８３を容易に後付けできる。
【０１８６】
第３に、読取台８１が載置台１Ｄの上方に配置されており、その読取台８１により発光ライト８３が支持されていれば、外光が読取台８１により遮断されるため、その載置台１Ｄが配置されていない場合とは異なり、空間１Ｓの内部がより暗くなる。これにより、使用者が隙間１Ｇから空間１Ｓを覗き込む際に、発光性画像の発光状態が外光の影響を受けにくくなる。よって、使用者が発光性画像をより確認しやすくなるため、より高い効果を得ることができる。
【０１８７】
この場合には、発光ライト８３が突出部１Ｔの内部に収納されている場合（図７）と比較して、その発光ライト８３の位置が高くなる。これにより、発光ライト８３から載置台１Ｄの上のより広範囲な領域に発光用光Ｌが照射されるため、場所（発光ライト８３に近い領域であるか否か）に依存せずに発光性画像が全体に渡って発光しやすくなる。よって、使用者が発光性画像をより確認しやすくなるため、より高い効果を得ることができる。
【０１８８】
第４に、読取台８１の延在方向に対して操作パネル９０が隙間Ｇを狭めるように斜めに傾いていれば、外光が操作パネル９０により遮断されるため、空間１Ｓの内部がさらに暗くなる。よって、使用者が発光性画像をさらに確認しやすくなるため、さらに高い効果を得ることができる。
【０１８９】
この場合には、発光ライト８３が操作パネル９０により視覚的に遮蔽されるため、読取台８１に発光ライト８３を取り付けても、その発光ライト８３が使用者の目に晒されることを回避できる。
【０１９０】
第５に、発光ライト８３が表示パネル９２の表示方向の反対方向に向けて発光用光Ｌを照射すれば、その発光ライト８３の照射方向が使用者の視線方向Ｅと同じ方向になる。よって、発光ライト８３から照射された発光用光Ｌを使用者が直視しにくくなるため、より高い効果を得ることができる。
【０１９１】
＜１−６．変形例＞
この画像形成装置の構成は、以下で説明するように、適宜変更可能である。
【０１９２】
［第１変形例］
例えば、図６に対応する図８に示したように、読取台８１の下面に代えて、操作パネル９０の裏面に発光ライト８３を取り付けてもよい。この場合においても、発光ライト８３は、媒体Ｍの排出方向の下流側から上流側に向けて発光用光Ｌを照射するため、図６に示した場合と同様の効果を得ることができる。
【０１９３】
［第２変形例］
例えば、図１に対応する図９および図６に対応する図１０に示したように、載置台１Ｄの上に、その載置台１Ｄの表面に対して傾斜可能である傾斜板８４を設けてもよい。排出口１Ｈから遠い側（発光ライト８３に近い側）における傾斜板８４の一端部は、例えば、載置台１Ｄに固定されている。これに対して、排出口１Ｈに近い側（発光ライト８３から遠い側）における傾斜板８４の他端部は、例えば、上記した傾斜板８４の傾斜動作を利用して、載置台１Ｄに隣接する位置とその載置台１Ｄから離間された位置との間において移動可能である。図９では、例えば、傾斜板８４の他端部が載置台１Ｄに隣接している状態（初期状態）を示していると共に、図１０では、傾斜板８４の他端部が載置台１Ｄから離間された状態（傾斜状態）を示している。
【０１９４】
この傾斜板８４は、初期状態において、傾斜状態となるように可動可能であると共に、傾斜状態において、初期状態に復帰するように可動可能である。初期状態の傾斜板８４は、例えば、発光ライト８３が発光用光Ｌを照射する際に、傾斜状態となるように可動する。これにより、載置台１Ｄの上に排出された媒体Ｍは、その媒体Ｍの排出方向の下流側よりも上流側において高くように傾斜する。よって、使用者は、媒体Ｍが傾斜しない場合と比較して、その媒体Ｍに形成されている発光性画像を確認しやすくなるため、より高い効果を得ることができる。
【０１９５】
なお、傾斜板８４は、例えば、発光ライト８３の照射に連動して自動的に可動してもよいし、使用者により手動で可動されてもよい。前者の場合には、例えば、発光性画像データが傾斜板８４の可動の要否に関する情報を含んでいてもよい。これにより、発光性画像データが傾斜板８４の可動を要する情報を含んでいる場合には、例えば、媒体Ｍが載置台１Ｄの上に排出されると、制御部３００が発光ライト８３の照射に応じて傾斜板８４を自動的に可動させる。もちろん、傾斜板８４の傾斜角度は、任意に設定可能である。
【０１９６】
傾斜板８４は、例えば、初期状態から傾斜状態となるように可動したのち、所定の時間が経過してから初期状態に復帰するように自動的に再可動してもよい。または、傾斜板８４は、例えば、初期状態から傾斜状態となるように可動したのち、使用者が初期状態に復帰するように手動で再可動させるまで、傾斜状態のままでもよい。
【０１９７】
［第３変形例］
例えば、図６に対応する図１１および図１２に示したように、突出部１Ｔに伸縮機構８５が設けられており、その伸縮機構８５を利用して突出部１Ｔが伸縮可能でもよい。読取台８１は、例えば、伸縮機構８５の伸張動作および短縮動作を利用して、載置台１Ｄに近い位置と載置台１Ｄから遠い位置との間において移動可能である。図１１では、例えば、突出部１Ｔが伸張していないため、読取台８１が載置台１Ｄに近づいている状態（初期状態）を示していると共に、図１２では、例えば、突出部１Ｔが伸張したため、読取台８１が載置台１Ｄから遠ざかっている状態（伸張状態）を示している。
【０１９８】
この突出部１Ｔは、初期状態において、伸張状態となるように可動可能であると共に、伸張状態において、初期状態に復帰するように可動可能である。この場合には、突出部１Ｔが伸張すると（伸張状態）、読取台８１が載置台１Ｄから遠ざかることに起因して、その突出部１Ｔが伸張する前の状態（初期状態）と比較して空間１Ｓが広くなるため、隙間１Ｇも広くなる。よって、突出部１Ｔを伸張させることにより、使用者は、媒体Ｍに形成されている発光性画像を隙間１Ｇからより確認しやすくなるため、より高い効果を得ることができる。もちろん、突出部１Ｔの伸張量は、任意に設定可能である。
【０１９９】
突出部１Ｔは、例えば、発光ライト８３の照射に連動して自動的に伸張してもよいし、使用者により手動で伸張されてもよい。前者の場合には、例えば、発光性画像データが突出部１Ｔの伸張の要否に関する情報を含んでいてもよい。これにより、発光性画像データが突出部１Ｔの伸張を要する情報を含んでいる場合には、例えば、発光性画像が形成された媒体Ｍが載置台１Ｄの上に排出されたのち、制御部３００が発光性ライト８３による発光用光Ｌの照射に連動して突出部１Ｔを自動的に伸張させる。
【０２００】
この突出部１Ｔは、例えば、初期状態から伸張状態となるように伸張したのち、所定の時間が経過してから初期状態に戻るように自動的に短縮してもよい。または、突出部１Ｔは、例えば、初期状態から伸張状態となるように伸張したのち、使用者が初期状態に戻るように手動で短縮させるまで伸張状態のままでもよい。
【０２０１】
なお、伸張状態において発光ライト８３から発光用光Ｌが照射される角度は、初期状態において発光ライト８３から発光用光Ｌが照射される角度に対して変動し得る。この場合には、伸張状態においても発光ライト８３が適正な範囲に発光用光Ｌを照射可能にするために、突出部１Ｔの伸張量に応じて発光ライト８３の照射角度を調整可能であることが好ましい。
【０２０２】
［第４変形例］
例えば、図６に対応する図１３および図１４に示したように、突出部１Ｔに旋回機構８６が設けられており、その旋回機構８６を利用して読取台８１が旋回可能でもよい。読取台８１の一端部は、例えば、Ｙ軸方向に延在する旋回軸８６Ｘを介して突出部１Ｔに固定されていると共に、その読取台８１の他端部は、例えば、載置台１Ｄに近い位置と載置台１Ｄから遠い位置との間において移動可能である。これにより、読取台８１は、例えば、媒体Ｍの排出方向の上流側に設けられた旋回軸８６Ｘを中心として、載置台１Ｄに近づく位置と載置台１Ｄから遠ざかる位置との間において旋回可能である。図１３では、例えば、読取台８１が旋回していないため、読取台８１が載置台１Ｄに近づいている状態（初期状態）を示していると共に、図１４では、例えば、読取台８１が旋回したため、読取台８１が載置台１Ｄから遠ざかっている状態（旋回状態）を示している。
【０２０３】
この読取台８１は、初期状態において、旋回状態となるように旋回可能であると共に、伸張状態において、初期状態に復帰するように旋回可能である。この場合には、読取台８１が旋回すると（旋回状態）、その読取台のうちの他端部が載置台１Ｄから遠ざかることに起因して、その読取台８１が旋回する前の状態（初期状態）と比較して空間１Ｓが広くなるため、隙間１Ｇも広くなる。よって、読取台８１を旋回させることにより、使用者は、媒体Ｍに形成されている発光性画像を隙間１Ｇからより確認しやすくなるため、より高い効果を得ることができる。もちろん、読取台８１の旋回量（旋回角度）は、任意に設定可能である。
【０２０４】
読取台８１は、例えば、発光ライト８３の照射に連動して自動的に旋回してもよいし、使用者により手動で旋回されてもよい。前者の場合には、例えば、発光性画像データが読取台８１の旋回の要否に関する情報を含んでいてもよい。これにより、発光性画像データが読取台８１の旋回を要する情報を含んでいる場合には、例えば、媒体Ｍが載置台１Ｄの上に排出されたのち、制御部３００が発光ライト８３の照射に連動して読取台８１を自動的に旋回させる。
【０２０５】
この読取台８１は、例えば、旋回状態となるように旋回したのち、所定の時間が経過してから初期状態に戻るように自動的に再旋回してもよい。または、読取台８１は、例えば、旋回状態となるように旋回したのち、使用者が初期に戻るように手動で再旋回させるまで旋回状態のままでもよい。
【０２０６】
なお、旋回状態において発光ライト８３から発光用光Ｌが照射される角度は、初期状態において発光ライト８３から発光用光Ｌが照射される角度に対して変動し得る。この場合には、旋回状態においても発光ライト８３が適正な範囲に発光用Ｌを照射可能にするために、読取台８１の旋回角度に応じて発光ライト８３の照射角度を変更可能であることが好ましい。
【０２０７】
［第５変形例］
突出部１Ｔに旋回機構８６を設けた場合（第４変形例）には、例えば、図１３に対応する図１５および図１４に対応する図１６に示したように、発光ライト８７を増設してもよい。すなわち、画像形成装置は、例えば、２個の発光ライト８３，８７を備えていてもよい。
【０２０８】
発光ライト８７は、他の照射部である。発光ライト８７の構成は、例えば、設置角度（発光用光Ｌの照射角度）が異なることを除いて、発光ライト８３の構成と同様である。発光ライト８３の設置角度は、例えば、初期状態において照射角度が載置台１Ｄの表面に対して相対的に小さくなると共に、旋回状態において照射角度が載置台１Ｄの表面に対して相対的に大きくなるように設定されている。一方、発光ライト８７の設置角度は、例えば、初期状態において照射角度が載置台１Ｄの表面に対して相対的に大きくなると共に、旋回状態において照射角度が載置台１Ｄの表面に対して相対的に小さくなるように設定されている。この「照射角度が相対的に大きい」および「照射角度が相対的に小さい」とは、発光ライト８３の照射角度と発光ライト８７の照射角度とを比較した場合における照射角度の大小関係を意味している。
【０２０９】
読取台８１が載置台１Ｄに近づくように旋回している初期状態（図１５）では、例えば、発光ライト８７が点灯せずに発光ライト８３が点灯するため、その発光ライト８３から発光用光Ｌが照射される。これに対して、読取台８１が載置台１Ｄから遠ざかるように旋回している旋回状態（図１６）では、発光ライト８３が点灯せずに発光ライト８７が点灯するため、その発光ライト８７から発光用光Ｌが照射される。この場合には、読取台８１の状態（初期状態であるか旋回状態であるか）に応じて、発光用光Ｌを照射する発光ライト８３，８７が切り替えられる。発光ライト８３，８７の切り替えは、例えば、読取台８１の旋回に連動して自動的に切り替えられてもよいし、使用者により手動で切り替えられてもよい。前者の場合には、例えば、発光性画像データが発光ライト８３，８７の切り替えの要否に関する情報を含んでいてもよい。これにより、発光性画像データが発光ライト８３，８７の切り替えを要する情報を含んでいる場合には、例えば、媒体Ｍが載置台１Ｄの上に排出されると共に読取台８１が初期状態から旋回状態となるように旋回すると、発光ライト点灯制御部３０２が発光ライト８３，８７を自動的に切り替える。
【０２１０】
この場合には、画像形成装置が１個の発光ライト８３だけを備えている場合（図１３および図１４）とは異なり、読取台８１の状態に応じて発光ライト８３の設置角度（発光用光Ｌの照射角度）を変更する必要がない。よって、読取台８１の状態に依存せずに発光ライト８３，８７のいずれかから適正な範囲に発光用光Ｌが照射されるため、使用者が発光性画像を容易に確認できる。
【０２１１】
＜２．画像形成装置（第２実施形態）＞
次に、本発明の第２実施形態の画像形成装置に関して説明する。
【０２１２】
ここで説明する画像形成装置は、例えば、画像の形成機能だけを有するプリンタなどである。
【０２１３】
＜２−１．構成＞
図１７および図１８のそれぞれは、画像形成装置の平面構成（ＸＺ面）を表している。ただし、図１７は、図１に対応していると共に、図１８は、図６に対応している。
【０２１４】
図１７および図１８では、第１実施形態の画像形成装置の構成要素と同一の構成要素に同一の符号を付している。以下の説明では、随時、第１実施形態の画像形成装置の構成要素を引用する。
【０２１５】
この画像形成装置は、例えば、図１７および図１８に示したように、画像読取機能部２００に代えて、遮光板１０１、発光ライト１０２および操作パネル１９０を備えていることを除いて、第１実施形態の画像形成装置（図１参照）とほぼ同様の構成を有している。操作パネル１９０は、例えば、遮光板１０１の一端部（表面）に取り付けられていると共に、発光ライト１０２は、例えば、遮光板１０１の下面に取り付けられている。
【０２１６】
遮光板１０１は、載置台１Ｄが外光に晒されることを抑制するために、その外光を遮蔽する。より具体的には、遮光板１０１は、主に、上方から載置台１Ｄに供給される外光を遮蔽する役割を果たす。
【０２１７】
この遮光板１０１は、載置台１Ｄから離間されると共に載置台１Ｄと対向するように配置された屋根部材であり、例えば、媒体Ｍの排出方向（Ｘ軸方向）においてスライド可能である。具体的には、遮光板１０１は、例えば、突出部１Ｔの内部に収納可能であると共に、その突出部１Ｔに設けられた引出口１Ｌを通じて引き出し可能である。すなわち、遮光板１０１が引出口１Ｌから引き出されることにより、筐体１（載置台１Ｄおよび突出部１Ｔ）と遮光板１０との間に空間１Ｓを形成可能である。もちろん、遮光板１０１の引き出し量は、任意に設定可能である。
【０２１８】
また、遮光板１０１は、外光を遮蔽可能である材料のうちのいずれか１種類または２種類以上を含んでいる。この外光を遮蔽可能である材料は、特に限定されないが、例えば、金属材料および高分子材料などのうちのいずれか１種類または２種類以上である。
【０２１９】
なお、引出口１Ｌから引き出された遮光板１０１は、例えば、その引き出し方向において平坦でもよいし、その引き出し方向において湾曲していてもよい。
【０２２０】
中でも、遮光板１０１は、引き出し量が大きくなるにしたがって載置台１Ｄに近づくように湾曲していることが好ましい。遮光板１０１の引き出し量が大きくなるにしたがって隙間１Ｇが狭まるため、その隙間１Ｇから空間１Ｓの内部に外光が入りにくくなるからである。図１８では、遮光板１０１が湾曲している場合を示している。
【０２２１】
遮光板１０１が湾曲している場合には、その遮光板１０１の引き出し量に応じて発光ライト１０２の照射角度が変動し得る。このため、遮光板１０１の引き出し量に応じて、発光ライト８３の設置角度（発光用光Ｌの照射角度）を変更可能であることが好ましい。この場合には、遮光板１０１の引き出し量に応じて発光ライト１０２の照射角度が変動することを利用して、その発光ライト１０２の設置角度を調整する代わりに、発光ライト１０２の照射角度が所望の角度となるように遮光板１０１の引き出し量を調整してもよい。
【０２２２】
なお、突出部１Ｔの内部における遮光板１０１の収納形態は、特に限定されない。遮光板１０１のうち、引出口１Ｌから引き出されていない部分は、例えば、巻取軸を中心として巻き取られた状態で突出部１Ｔの内部に収納されていてもよいし、巻き取られない状態のままで突出部１Ｔの内部に収納されていてもよい。
【０２２３】
操作パネル１９０は、例えば、遮光板１０１の表面に取り付けられているため、その遮光板１０１により支持されている。この操作パネル１９０は、例えば、筐体１（載置台１Ｄおよび突出部１Ｔ）および遮光板１０１と一緒に空間１Ｓを形成しながら隙間１Ｓを狭めるために、その遮光板１０１の引き出し方向に対して斜めに傾くように延在していることが好ましい。
【０２２４】
この操作パネル１９０は、例えば、後述する図１９および図２０に示したように、１または２以上の機能ボタン１９１と、表示パネル１９２とを含んでいる。機能ボタン１９１の構成および機能などは、機能ボタン９１の構成および機能などと同様である。表示パネル１９２の構成および機能などは、表示パネル９２の構成および機能などと同様である。
【０２２５】
発光ライト１０２は、例えば、遮光板１０１の裏面に取り付けられているため、その遮光板１０１により支持されている。これにより、発光ライト１０２は、媒体Ｍの排出方向の下流側において、載置台１Ｄよりも高い位置に配置されている。また、発光ライト１０２は、載置台１Ｄの上に排出された媒体Ｍに対して、その媒体Ｍの排出方向の下流側から上流側に向けて発光用光Ｌを照射する。これ以外の発光ライト１０２の構成および機能などは、例えば、発光ライト８３の構成および機能などと同様である。
【０２２６】
なお、画像形成装置のブロック構成は、例えば、操作パネル９０に代えて操作パネル１９０を備えていることを除いて、第１実施形態の画像形成装置のブロック構成（図４参照）と同様である。
【０２２７】
＜２−２．動作＞
この画像形成装置は、例えば、以下で説明することを除いて、第１実施形態の画像形成装置と同様に動作する。すなわち、画像形成装置は、画像の形成処理を実行すると共に、発光ライト１０２の点灯処理を実行する。
【０２２８】
使用者は、例えば、媒体Ｍに発光性画像を形成する前（図１７参照）に、図１８に示したように、あらかじめ遮光板１０１を引き出しておく。これにより、筐体１（載置台１Ｄおよび突出部１Ｔ）と遮光板１０１との間に空間１Ｓが形成される。
【０２２９】
発光ライト１０２の点灯処理では、第１実施形態の画像形成装置と同様の手順（図４参照）により、発光ライト点灯制御部３０２が必要に応じて発光ライト１０２を点灯させる。もちろん、使用者は、例えば、操作パネル１９０を操作することにより、発光ライト１０２を手動で点灯させることもできる。これにより、載置台１Ｄの上に載置されている媒体Ｍに向けて発光ライト１０２から発光用光Ｌが照射されるため、その媒体Ｍに形成されている発光性画像が発光する。よって、使用者は、載置台１Ｄの上から媒体Ｍを取り去ることなく、その媒体Ｍに形成されている発光性画像を確認できる。
【０２３０】
＜２−３．作用および効果＞
この画像形成装置では、遮光板１０１の下面に発光ライト１０２が取り付けられている。この発光ライト１０２は、発光性画像が形成された媒体Ｍの排出方向の下流側において載置台１Ｄよりも高い位置に配置されており、その排出方向の下流側から上流側に向けて発光用光Ｌを照射可能である。よって、第１実施形態と同様の理由により、載置台１Ｄの上に排出された媒体Ｍを取り出すことなく、その媒体Ｍに形成された発光性画像を安全に確認できる。
【０２３１】
特に、載置台１Ｄの上方において遮光板１０１が引き出し可能であり、その遮光板１０１により発光ライト１０２が支持されていれば、その遮光板１０１が配置されていない場合と比較して空間１Ｓの内部が暗くなる。これにより、使用者が隙間１Ｇから空間１Ｓを覗き込む際に、発光性画像の発光状態が外光の影響を受けにくくなる。よって、使用者が発光性画像をより確認しやすくなるため、より高い効果を得ることができる。
【０２３２】
また、遮光板１０１は、媒体Ｍに発光性画像を形成しない場合、すなわち媒体Ｍに通常画像を形成する場合において、突出部１Ｔの内部に収納可能である。よって、使用者は、突出部１Ｔの内部に遮光板１０１を収納することにより、その遮光板１０１に遮られることなく、媒体Ｍに形成された通常画像を確認できる。
【０２３３】
本実施形態の画像形成装置に関する上記以外の作用および効果は、第１実施形態の画像形成装置に関する作用および効果と同様である。
【０２３４】
＜２−４．変形例＞
この画像形成装置の構成は、以下で説明するように、適宜変更可能である。
【０２３５】
図１９〜図２１のそれぞれは、画像形成装置の構成に関する変形例を表している。ただし、図１９および図２０のそれぞれは、画像形成装置の平面構成（ＸＹ面）を示していると共に、図２１は、画像形成装置の平面構成（ＸＺ面）を示している。また、図１９は、図１７に対応していると共に、図２０および図２１のそれぞれは、図１８に対応している。
【０２３６】
例えば、図１９〜図２１に示したように、載置台１Ｄの上に、媒体Ｍの排出方向と交差する方向（Ｙ軸方向）において載置台１Ｄを介して互いに対向するように一対の遮光壁１０３，１０４を設けてもよい。この場合には、筐体１（載置台１Ｄおよび突出部１Ｔ）と遮光板１０１と一対の遮光壁１０３，１０４との間に空間１Ｓが形成される。
【０２３７】
一対の遮光壁１０３，１０４のそれぞれは、主に、載置台１Ｄが外光に晒されることを抑制するために、その外光を遮蔽する一対の壁部材である。すなわち、一対の遮光壁１０３，１０４のそれぞれは、主に、側方から載置台１Ｄに供給される外光を遮蔽可能である。
【０２３８】
一方の遮光壁１０３は、例えば、載置台１Ｄの一端部に配置されていると共に、他方の遮光壁１０４は、例えば、載置台１Ｄの他端部に配置されている。図１９〜図２１では、遮光板１０１および一対の遮光壁１０３，１０４のそれぞれに網掛けを施している。
【０２３９】
一対の遮光壁１０３，１０４のそれぞれは、例えば、筐体１（載置台１Ｄ）に着脱可能でもよいし、筐体１の内部に収納可能でもよい。前者の場合には、例えば、一対の遮光壁１０３，１０４が使用者により筐体１（載置台１Ｄ）に取り付けられる。後者の場合には、例えば、筐体１の内部に収納されている一対の遮光壁１０３，１０４が使用者により引き出される。
【０２４０】
一対の遮光壁１０３，１０４のそれぞれは、例えば、遮光板１０１と同様に、外光を遮蔽可能である材料のうちのいずれか１種類または２種類以上を含んでいる。
【０２４１】
この場合には、上方からの外光が遮光板１０１により遮断されると共に、側方からの外光も一対の遮光壁１０３，１０４により遮断されるため、その一対の遮光壁１０３，１０４を利用しない場合（図１７および図１８）と比較して、空間１Ｓの内部が暗くなる。よって、使用者が発光性画像をさらに確認しやすくなるため、さらに高い効果を得ることができる。
【０２４２】
なお、一対の遮光壁１０３，１０４の双方を用いずに、いずれか一方だけを用いてもよい。しかしながら、空間１Ｓの内部をできるだけ暗くすることにより、使用者が発光性画像を確認しやすくなるためには、一対の遮光壁１０３，１０４の双方を用いることが好ましい。
【０２４３】
この他、発光ライト１０２の支持形態を適宜変更してもよい。ここでは具体的に図示しないが、例えば、遮光板１０１の代わりに、載置台１Ｄの上に支持柱を設けることにより、その支持柱により発光ライト１０２が支持されるようにしてもよい。この場合においても、媒体Ｍの排出方向の下流側から上流側に向けて発光用光Ｌが照射されるように発光ライト１０２を配置することにより、遮光板１０１を用いる場合と同様の効果を得ることができる。ただし、外光を遮断するためには、遮光板１０１を用いることが好ましい。
【０２４４】
以上、いくつかの実施形態を挙げながら本発明を説明したが、本発明は上記した各実施形態において説明した態様に限定されず、種々の変形が可能である。具体的には、例えば、本発明の画像形成装置に適用される画像形成方式は、中間転写ベルトを用いた中間転写方式に限られず、他の画像形成方式でもよい。また、例えば、本発明の画像形成装置に適用される画像形成方式は、現像処理を用いた電子写真方式に限られず、他の方式でもよい。
【符号の説明】
【０２４５】
１…筐体、１Ｄ…載置台、３０…現像部、４０…転写部、５０…定着部、６１〜６８…搬送ローラ、８１…読取台、８３，８７，１０２…発光ライト、８４…傾斜板、８５…伸縮機構、８６…旋回機構、８６Ｘ…旋回軸、９０，１９０…操作パネル、９１，１９１…機能ボタン、９２，１９２…表示パネル、１０１…遮光板、１０３，１０４…遮光壁、Ｌ…発光用光、Ｍ…媒体。
【図１】
0006634344.tif 000002
【図２】
0006634344.tif 000003
【図３】
0006634344.tif 000004
【図４】
0006634344.tif 000005
【図５】
0006634344.tif 000006
【図６】
0006634344.tif 000007
【図７】
0006634344.tif 000008
【図８】
0006634344.tif 000009
【図９】
0006634344.tif 000010
【図１０】
0006634344.tif 000011
【図１１】
0006634344.tif 000012
【図１２】
0006634344.tif 000013
【図１３】
0006634344.tif 000014
【図１４】
0006634344.tif 000015
【図１５】
0006634344.tif 000016
【図１６】
0006634344.tif 000017
【図１７】
0006634344.tif 000018
【図１８】
0006634344.tif 000019
【図１９】
0006634344.tif 000020
【図２０】
0006634344.tif 000021
【図２１】
0006634344.tif 000022